(57)【特許請求の範囲】
【請求項１】
スリットを介して連通する大凹部と小凹部を設け、大凹部適所に導入部、小凹部適所に排出部を各々設けてなる餌容器本体を形成し、導入部外近傍に、近接して立設する一対の棒体よりなる魚外し棒を設けたことを特徴とする魚釣り用餌付け器。
【請求項２】
餌容器本体に貯水部を取り付けてなる請求項１記載の魚釣り用餌付け器。
【請求項３】
魚外し棒を形成する一対の棒体において、互いの水平距離および各棒体の上下位置を可変とした請求項１または２記載の魚釣り用餌付け器。
【発明の詳細な説明】
【０００１】
【発明の属する技術分野】
この発明は、魚釣りの際に釣り針に餌を容易につけることができるとともに、釣り針にかかった魚を簡単に針から外すことのできる魚釣り用の餌付け器に関する。
【０００２】
【従来の技術】
従来より、魚釣り時に釣り針に餌をつける用具はあるが、本発明にて示すように、魚を針から外す機能を付加したものは見当たらない。
【０００３】
【発明が解決しようとする課題】
従来より、小魚を釣る際には、餌としてオキアミが多用されている。
この小魚は、チカ、鯖、アジ、ニシン、ワカサギなどが対象である。
従来の餌付け器は、バケツ状の容器の上部側面に餌入れ部分が付属し、この餌入れ部の側面にスリットが各々設けられたものである。使用時はオキアミを入れて、スリット間に釣り針をくぐらせて、その針にオキアミを引っかけて付着させるものである。しかし、この方式では餌が針に軽く付いている程度であるため、海中に投ずると餌が波で簡単に外れてしまうため、魚の食いつきは期待できないものであった。また、釣り上げた魚を針から外す場合は、手で一匹ずつ外すかあるいは竿と釣り糸を引っ張って一度に外していた。
そのため、下に落ちた魚を一匹ずつ拾ってバケツに入れるが、冬期では寒さのため手がかじかんで拾いにくく、手も汚れるものであった。
本発明は、以上のような従来からの餌付けおよび魚外しに関わる課題を解決するために発明されたもので、釣り針にオキアミを容易にしっかりとつけることができ、かつ釣り上がった魚を針から容易に外すことのできる餌付け器を提供することを目的として開発されたものである。
【０００４】
【課題を解決するための手段】
課題を解決する手段として本発明は、二つの凹部を設けてこの凹部をスリットにて連通させ、凹部に近接して魚外し棒を設けてその主要部を構成した。
すなわち、スリットを介して連通する大凹部と小凹部を設け、大凹部適所に導入部、小凹部適所に排出部を各々設けてなる餌容器本体を形成し、導入部外近傍に、近接して立設する一対の棒体よりなる魚外し棒を設ける。
本発明は、以上の構成よりなる魚釣り用餌付け器である。
【０００５】
【発明の実施の形態】
本発明を使用するには、大凹部内に餌としてのオキアミを入れ、釣り針の付いたテグスを魚外し棒、導入部より大凹部内に導き入れて通過させる。このとき、針にオキアミが引っかかり、さらにスリット部を通過するときに多少の押圧を受けて針とオキアミとの掛かりが良くなる。
針に付いていないオキアミの一部もスリットを通過するが、小凹部にてこれはとどまることとなる。そして餌の付いた針を海中に投ずればよい。
従来法のようにオキアミが針に軽く掛かった状態ではないので、魚釣り中に針からオキアミが落ちることもなく、快適な魚釣りを行うことができる。
釣果があったときは前述の作業を行うが、魚外し棒の間隙より魚体が大きいため、この間隙を魚体は通過することができないので、ここで魚口より針が外れて容易に魚を入手することができる。
なお、後述の実施例にて示すように、貯水部を魚外し棒に近接して設けると、針より外れた魚はこの貯水部に落下するので便利である。
【０００６】
【実施例】
以下、本発明の実施例について説明する。
図１は本発明の第１実施例である。
図において、１はバケツ状の貯水部、２は貯水部上部に回動可能に軸支される取っ手、３は貯水部底面に取り付けられる中空角体によるケース、４は該ケース内にスライド可能に位置する平板上のスライド板である。このケースは、図７にて示すように十字形に形成される。
５は貯水部の上部側面に設けられる有底の餌容器本体で、大小二つの円状凹部を有している。６は大凹部、７は小凹部でスリット８を介して近接連通して位置している。また、大凹部と小凹部にはスリット状の導入部９および排出部１０が各々設けられる。１１は平板下部を湾曲形成してなる餌受けで、排出部側面に取り付けられる。１２は一対の湾曲棒体をその上部に向かうにつれて相互の距離が開くように導入部に近接して対向配置される魚外し棒、１３はこの魚外し棒と反対側の貯水部側面上部に設けられる竿受けである。
【０００７】
本発明を使用するには、まず貯水部内に適量貯水し、大凹部に適量のオキアミを入れる。釣り針に餌をつけるには、導入部にテグスをくぐらせて排出部まで引くと、釣り針は大凹部を通過してこのとき針にオキアミが引っかかる。
そして、スリット８を通過するとき、針に引っかかっているオキアミは幾分かの押圧を受けて針への掛かりが良くなり、針とオキアミとはより密接な関係となる。このとき、針に掛かっていないオキアミもスリット内を通過するが、それは小凹部内に残ることとなる。そして、排出部を餌の付いた針が通過するが、この排出部を通過した針に掛かっていないオキアミは餌受けに落ち、その後回収される。
釣果があったときは、釣り上げてから餌付けのときのように導入部にテグスを通過させるが、この導入部の手前には魚外し棒が位置している。この魚外し棒は上方に向かって開く一対の棒体であるため、魚の掛かった針が通過しようとすると、その魚形のため魚はこの魚外し棒間を通過することができずに針から外れて貯水部に落下する。一般に小魚は口が弱いためこの作業にて釣り針から魚体を外すことができる。
魚の外れた針は前述のように大凹部小凹部を通過して餌が付いて、再び海に投入することができる。すなわち、魚外しと餌付けを一連の流れ作業としてほぼ同時に行うことができる。
なお、貯水部底面にはスライド板が設けられ、必要に応じてケースから引き出し、貯水部および餌容器本体の安定保持を計ることができる。
【０００８】
図５〜図６は本発明の第２実施例である。
前例は貯水部側面に餌用器本体および魚外し棒を取り付けたが、本例は貯水部の上半分を覆う蓋状の平板よりなる台板２０を取り付けて、この台板上に餌容器本体および魚外し棒を設けたもので、その他は前例と同様である。
前例ではその構成上、餌容器本体が貯水部より張り出していたが、本例ではこの張り出しを少なくしてスペース的にコンパクトなものとなっている。
図１０は本発明の第３実施例である。
前２例が貯水部を中空円柱状としたのに対し、本例は湾曲側面を有する箱状の貯水部とした。また、貯水部中央外側面にコ字状の脚部３０を設けた点が異なっている。この張り出した脚部は、貯水部の安定を図るとともに市販の竿保持具３１を取り付けることができる点が新規な部分である。また、貯水部の上半分を覆う台板を設け、この台板上に湾曲板３２を固着し、この湾曲板にて囲まれる空間を餌載置部としている。この餌載置部の機能は記述の例と同様である。
なお、この湾曲板を適度の柔軟性と弾力性のある素材にて形成すれば、釣り針がスリットを通過する際に適度の押圧が加わって好ましいものとなる。
【０００９】
図１１は湾曲板体の他例を示すもので、スリット長を長くしたものであり、スリット通過時の押圧時間を長くして、針と餌とがなじむよう考慮したものである。
図１２は魚外し棒の他例を示すもので、既述の例ではこの一対の棒の長さと間隔は固定であったが、この例ではそれを可変としたものである。
図において、４０は中空角体によるケース、４１はケース内を適度な嵌合状態にてスライド可能な平板よりなるスライド板である。４２はスライド板端近傍に立設される筒体、４３は筒体に適度の嵌合状態にて挿入保持される折曲棒体、４４は折曲棒体上端に穿設される挿入孔である。
本例ではスライド板のスライドにて棒体間の距離が可変となり、かつ筒体に対する棒体の位置も可変であるため、釣り上げた魚体に合わせたセッティングが可能である。なお、挿入孔は発光小棒体挿入のために設けたものである。
以前より透明中空合成樹脂棒内に特定液を封入しておき、使用時にこの棒体を折曲すると中の液が化学反応により発光する商品が販売されている。
この発光させた棒体をこの孔内に挿入することにより、夜間時の便宜を図ろうとするものである。
【００１０】
図１３は本発明の第４実施例である。
本例は、底板上に湾曲板体５０を固着し、この湾曲板体で囲まれる空間内に、柔軟性を有する別の湾曲薄板体５１を取り付けて、大凹部とスリットおよび小凹部を形成したものである。従って、スリットはこの薄板体の間隙により形成されるため、釣り針およびオキアミが通過するとこの間隙を押し広げるために、適度の押圧が加わって針と餌とが密着して針への掛かりが良くなる効果を有するものである。
この例は第１〜第３実施例に応用可能であるが、本例単体でも使用可能である。
図の二点鎖線で示すように、底板下面に一定の距離をもって２枚の平板を固着し、一方の板体に雌ねじを刻設し、この雌ねじに雄ねじを螺合させ、雄ねじ端に別の平板を回動可能に取り付け、他端に穿設した孔に細棒を圧入する。
この機構を設けることで、岸壁の突きだした縁に本品を取り付けて使用することができる。
【００１１】
図１４は本発明の第５実施例である。
本例は、前例同様の底板に湾曲板体６０を固着させるとともに、該湾曲板体適所にスリットを設け、このスリット内に仕切板６１を位置させたものである。
この仕切板上下距離および厚さはスリット内寸に近似してわずかに小さく、また仕切板側面には等間隔にて小三角柱６２が一体に形成されている。
従って、弾力を有する素材にてこの仕切板を形成すれば、三角柱にてスリットに対する仕切板位置を規定することができ、仕切板相互の最接近距離を可変として、使用状況に合わせたセッティングを行うことができる。なお、その他の個所は前例と同様である。
【００１２】
本発明は、二つの凹部間をスリットを介して近接連通させたところにその特徴がある。従来例は単に凹部内に餌としてのオキアミを入れ、この凹部に釣り針とテグスを通過させて針にオキアミを引っかけるものである。しかし、釣り針が餌内を通過するとき、餌と針との押圧が充分ではないため、針に軽く掛かった状態となり、針に対する掛かりが弱いという欠点があった。
本発明では狭いスリット内を針とオキアミが通過するので適度の押圧を受けて、針にしっかりと掛かった状態となるために、従来法にありがちだった餌の脱落を防止することができる。さらに本発明では魚外し棒を設けたので、針から魚を容易に外すことができ、針から落ちた魚を拾わずに取得することができる。
また、針から外した後にすぐ餌付け状態となり、一連の作業で魚外しと餌付けを行うことができるものである。
以上のごとく、本発明によって魚外しと餌付けを簡単に行って、魚釣りの便宜を図ることのできる用具を得ることができる。
【００１３】
【発明の効果】
本発明によれば、各凹部間にスリットが存在し、釣り針とオキアミがこのスリット通過時に押圧を受けるため、従来法に比べて針に餌の掛かりが良くなる効果がある。また、魚外し棒を有するため、針に掛かった魚はここで自動的に針より外れるために、魚外しの手間を省くことのできる、有用なる用具を提供することができる。
【図面の簡単な説明】
【図１】従来品の平面図
【図２】従来品の正面図
【図３】本発明の第１実施例の平面図
【図４】本発明の第１実施例の正面図
【図５】本発明の第２実施例の平面図
【図６】本発明の第２実施例の正面図
【図７】本発明第１実施例の底部を示す図
【図８】本発明第１実施例における魚外し棒の拡大説明図
【図９】本発明の第１実施例における竿立ての拡大説明図
【図１０】本発明の第３実施例の斜視図
【図１１】本発明の第３実施例における湾曲板他例図
【図１２】本発明の魚外し棒の他例斜視図
【図１３】本発明の第４実施例の斜視図
【図１４】本発明の第５実施例の斜視図
【符号の説明】
１    貯水部
２    取っ手
３    ケース
４    スライド板
５    餌容器本体
６    大凹部
７    小凹部
８    スリット
９    導入部
１０  排出部
１１  餌受け
１２  魚外し棒
１３  竿受け
２０  台板
３０  脚部
３１  竿保持具
３２  湾曲板
３３  湾曲板
３４  スリット
４０  ケース
４１  スライド板
４２  筒体
４３  折曲棒体
４４  挿入孔
５０  湾曲板体
５１  湾曲薄板体
５２  平板
５３  平板
５４  平板
５５  ネジ棒
５６  細棒
６０  湾曲板体
６１  仕切板
６２  小三角柱
【図１】
0003783076.tif 000002
【図２】
0003783076.tif 000003
【図３】
0003783076.tif 000004
【図４】
0003783076.tif 000005
【図５】
0003783076.tif 000006
【図６】
0003783076.tif 000007
【図７】
0003783076.tif 000008
【図８】
0003783076.tif 000009
【図９】
0003783076.tif 000010
【図１０】
0003783076.tif 000011
【図１１】
0003783076.tif 000012
【図１２】
0003783076.tif 000013
【図１３】
0003783076.tif 000014
【図１４】
0003783076.tif 000015